(57)【要約】【課題】伸縮式のタッチペンを電子機器に形成された穴に挿入して収容することができ、しかも、その取出しおよび収納動作を容易かつ確実に行う。【解決手段】タッチペン２０は、アウタースリーブ３０内にペン軸４０が収納された収縮状態においてペン軸４０をアウタースリーブ３０に係止させる収縮ロック機構５０と、アウタースリーブ３０からペン軸４０が突出した伸長状態においてペン軸４０をアウタースリーブ３０に係止させる伸長ロック機構６０とを備える。  そして、伸長ロック機構６０は、タッチペン２０を穴１１に挿入するときに、アウタースリーブ３０の外周側に一端部が突出した解除スイッチが穴１１と干渉してアウタースリーブ３０の内方に向けて押し込まれることによって、ペン軸４０をアウタースリーブ３０に係止させるための係止部材６２が移動し、アウタースリーブ３０との係止が解除される。【選択図】図２
2013222250.tif 000002
【特許請求の範囲】
【請求項１】
筒状部材と、前記筒状部材内に出没自在に配置されたペン軸とを備えて、前記ペン軸が前記筒状部材内に収納された収縮状態と前記筒状部材から突出した伸長状態との間で伸縮可能とされた伸縮式のタッチペンであって、
前記ペン軸を前記筒状部材から突出する方向に付勢する付勢部材と、
前記ペン軸が前記筒状部材内に収納された収縮状態であるときに、前記ペン軸を前記筒状部材に係止させる収縮ロック機構と、
前記ペン軸が前記筒状部材から突出した前記伸長状態であるときに、前記ペン軸を前記筒状部材に係止させる伸長ロック機構と、を備え、
前記伸長ロック機構は、
前記ペン軸および前記筒状部材の一方に設けられ、前記ペン軸および前記筒状部材の他方に形成された被係止部に係止される係止部材と、
前記筒状部材の内外を貫通し、その一端が前記筒状部材の外周面から突出し、前記筒状部材の内側に位置する他端により、前記被係止部に係止された前記係止部材を押圧することで、前記係止部材の前記被係止部への係止を解除する係止解除部材と、を備えていることを特徴とするタッチペン。
【請求項２】
前記タッチペンが、当該タッチペンを収容する穴内に挿入されたときに、前記係止解除部材の前記一端が前記穴の内周面に突き当たることを特徴とする請求項１に記載のタッチペン。
【請求項３】
前記係止解除部材は、少なくとも前記筒状部材の外周面から突出した前記一端の表面が、ゴム系材料により形成されていることを特徴とする請求項２に記載のタッチペン。
【請求項４】
前記収縮ロック機構は、前記タッチペンの一端に設けられたスイッチを操作することで、前記ペン軸の前記筒状部材への係止が解除されることを特徴とする請求項１から３のいずれか一項に記載のタッチペン。
【請求項５】
タッチパネル式の表示画面を有した電子機器であって、
請求項１から４のいずれか一項に記載のタッチペンと、
前記電子機器の筐体に形成され、前記タッチペンが収縮状態で挿入されて収容される穴と、を有することを特徴とする電子機器。
【請求項６】
前記穴の開口周縁部と、前記係止解除部材の少なくとも一方が、前記タッチペンの前記穴への挿入方向に対して傾斜した傾斜面を有していることを特徴とする請求項５に記載の電子機器。
【発明の詳細な説明】
【技術分野】
【０００１】
本発明は、タッチパネル式の表示画面に入力を行うためのタッチペン、およびそれを備えた電子機器に関する。
【背景技術】
【０００２】
スマートフォン、タブレット型のコンピュータ装置、ポータブル型のゲーム機等の各種携帯型の電子機器において、モニタ画面がタッチパネル式となっているものにおいては、情報を入力したり操作を行うための入力手段として、タッチペンを利用することができる。
【０００３】
このようなタッチペンを不使用時に収容するため、電子機器自体にタッチペンの収容スペースを設けたものがある。ここで、単純な棒状のタッチペンでは、タッチペンの全長と同等のサイズの収納スペースを電子機器の内部に設けることが必要である。しかし、タッチペンの長さを優先すれば電子機器の大型化を招き、電子機器の大きさに合わせてタッチペンの長さを設定すると、タッチペンが短すぎて使いにくいといった不具合が生じがちである。
【０００４】
そこで、タッチペン自体を伸縮可能とし、使用時にはタッチペンを伸長させ、不使用時にはタッチペンを収縮させて電子機器の収納スペースに収納することが考えられる。
特許文献１、２には、このような構成として、伸縮式のタッチペンを、電子機器の筐体に形成した穴や凹部に保持させる構成が開示されている。
【先行技術文献】
【特許文献】
【０００５】
【特許文献１】特開２００１−１４２６２６号公報
【特許文献２】特開平６−３２４７８２号公報
【発明の概要】
【発明が解決しようとする課題】
【０００６】
しかしながら、特許文献１に記載の構成では、タッチペンは、収縮させた状態で収納スペースに収納され、使用時には、この収納スペースからタッチペンを取り出した後に、タッチペンを伸長させる必要がある。また、収納時においても、タッチペンを収縮させた後に収納スペースに収納しなければならない。つまり、収納スペースへの収納・取出し動作と、タッチペンの伸縮動作は別々に行わなければならず、手間がかかる。
【０００７】
一方、特許文献２に記載の構成では、不使用時には、収縮させたタッチペンを、タッチペンに設けたフックを係合させることで、筐体の表面に形成した凹部に保持させている。タッチペンを使用するときには、タッチペンを収縮させて凹部に対するフックの係合を解除すると、ばねによりタッチペンが伸長される。したがって、収納・取出し動作と、タッチペンの伸縮動作は動時に行われ、上記問題は回避できる。
【０００８】
しかし、特許文献１、２のいずれの構成においても、タッチペンは、電子機器の表面に形成された収容スペースや凹部に、タッチペンの外周面の一部を露出させた状態とせざるを得ない。
タッチペンの全体を電子機器の筐体に収容するため、タッチペンの軸方向に連続する穴を筐体に設け、この穴にタッチペンを挿入して収容することも考えられるが、その場合、特許文献１、２に記載の構成では、タッチペンを穴に係止させることができないため、上記構成を採用することはできない。
そこでなされた本発明の目的は、伸縮式のタッチペンを電子機器に形成された穴に挿入して収容することができ、しかも、その取出しおよび収納動作を容易かつ確実に行うことのできるタッチパネルおよび電子機器を提供することである。
【課題を解決するための手段】
【０００９】
本発明は、上記課題を解決するため、以下の手段を採用する。
すなわち、本発明のタッチペンは、筒状部材と、筒状部材内に出没自在に配置されたペン軸とを備えて、ペン軸が筒状部材内に収納された収縮状態と筒状部材から突出した伸長状態との間で伸縮可能とされた伸縮式のタッチペンであって、ペン軸を筒状部材から突出する方向に付勢する付勢部材と、ペン軸が筒状部材内に収納された収縮状態であるときに、ペン軸を筒状部材に係止させる収縮ロック機構と、ペン軸が筒状部材から突出した伸長状態において、ペン軸を筒状部材に係止させる伸長ロック機構と、を備え、伸長ロック機構は、ペン軸および筒状部材の一方に設けられ、ペン軸および筒状部材の他方に形成された被係止部に係止される係止部材と、筒状部材の内外を貫通し、その一端が筒状部材の外周面から突出し、筒状部材の内側に位置する他端により、被係止部に係止された係止部材を押圧することで、係止部材の被係止部への係止を解除する係止解除部材と、を備えていることを特徴とする。
【００１０】
本発明は、タッチパネル式の表示画面を有した電子機器であって、上記したようなタッチペンと、電子機器の筐体に形成され、タッチペンが収縮状態で挿入されて収容される穴と、を有することを特徴とすることもできる。
【発明の効果】
【００１１】
本発明によれば、収縮ロック機構により、ペン軸が筒状部材に収納された収縮状態にロックされ、伸長ロック機構により、ペン軸が筒状部材から突出した伸長状態にロックされる。これにより、タッチペンが伸縮可能となっている。
このようなタッチペンは、収縮状態で電子機器等の穴に挿入して収容し、穴から取り出したときには伸長状態とすることで、電子機器等を大型化することなくタッチペンを収容しつつ、使用時にはタッチペンを伸長状態として使い勝手の良いものとすることができる。
そして、伸長ロック機構は、ペン軸を筒状部材から突出させた伸長状態においては、係止部材が被係止部に係止されることで、ペン軸を筒状部材に係止させる。そして、係止解除部材によって係止部材を押圧すると、係止部材の被係止部への係止が解除され、ペン軸が筒状部材内に収納可能となる。
係止解除部材は、その一端が筒状部材の外周面から突出しているので、電子機器等の穴にタッチペンを挿入するときに、穴の内周面に係止解除部材の一端を干渉させることによって、係止解除部材を筒状部材の内側に向けて移動させることができ、これによって、係止部材の被係止部への係止を解除できる。このように、タッチペンを穴に挿入するのみで、伸長状態のタッチペンを収縮状態に移行可能とすることができ、タッチペンを容易かつ確実に収納することができる。
また、収縮状態で穴に収容されたタッチペンを取り出すときには、収縮ロック機構によるペン軸の筒状部材への係止を解除すれば、付勢部材によってペン軸が筒状部材から突出し、これによって穴からタッチペンが出てくるので、タッチペンを容易に取り出すことができる。
このようにして、伸縮式のタッチペンを電子機器に形成された穴に挿入して収容することができ、しかも、その取出しおよび収納動作を容易かつ確実に行うことが可能となる。
【図面の簡単な説明】
【００１２】
【図１】実施形態に係るタッチペンを伸長状態としたときの断面図である。
【図２】タッチペンを収縮状態とし、電子機器の筐体に形成された穴に収容した状態を示す断面図である。
【図３】収縮ロック機構を示す断面図であり、収縮状態においてペン軸を筒状部材に係止した状態を示す要部断面図である。
【図４】収縮ロック機構による係止を解除した状態を示す要部断面図である。
【図５】伸長ロック機構を示す断面図であり、伸長状態においてペン軸を筒状部材に係止した状態を示す要部断面図である。
【図６】伸長状態にあるタッチペンを電子機器の筐体に形成された穴に挿入する状態を示す要部断面図である。
【図７】図６に続く状態を示し、係止解除部材が穴と干渉して押し込まれ、伸長状態でのペン軸の筒状部材への係止が解除された状態を示す要部断面図である。
【発明を実施するための形態】
【００１３】
以下、添付図面を参照して、本発明によるタッチペンおよび電子機器を実施するための最良の形態を説明する。しかし、本発明はこれらの実施例のみに限定されるものではない。
図１、図２は、スマートフォン、タブレット型の電子機器、ポータブル型のゲーム機等の各種電子機器の筐体１０のタッチパネル式の表示画面に入力を行うためのタッチペン２０の構成を示す断面図である。
【００１４】
タッチペン２０は、電子機器の筐体１０に形成された、一方向に沿って延びる穴１１に挿入されて収容される。タッチペン２０は、伸縮可能とされ、図２に示すように、穴１１に収納されるときには収縮状態とされ、図１に示すように、穴１１から取り出されて使用されるときには伸長状態とされる。
【００１５】
図１に示すように、タッチペン２０は、筒状のアウタースリーブ（筒状部材）３０と、アウタースリーブ３０内において、その軸線方向に進退可能に設けられたペン軸４０と、を備え、ペン軸４０が、アウタースリーブ３０内でこれらの軸線方向に沿って進退してアウタースリーブ３０に対して出没することによって、収縮状態と伸長状態とが切り換わるようになっている。
タッチペン２０には、アウタースリーブ３０内にペン軸４０が収容された状態にペン軸４０をロックするための収縮ロック機構５０と、アウタースリーブ３０からペン軸４０が突出した状態にペン軸をロックするための伸長ロック機構６０と、を備えている。
以下、これらの構成について詳述する。
【００１６】
アウタースリーブ３０は、円筒状で、その一端側が開口部３１とされ、他端側が端板３２により閉塞されている。端板３２には、後述する操作スイッチ（スイッチ）５７が挿入される貫通孔３３が形成されている。
【００１７】
ペン軸４０は、一端側（以下、これを先端側と称することがある）が、先端に行くにしたがいその外径が縮小するテーパ状のペン先部４１とされ、他端側（以下、これを後端側と称することがある）には、端板３２と対向する後端面４２が形成されている。そして、後端面４２と端板３２との間に、コイルスプリング等からなる軸スプリング（付勢部材）４３が圧縮状態で設けられ、ペン軸４０を、アウタースリーブ３０の開口部３１から突出する方向に付勢している。
【００１８】
ペン軸４０の後端側は、先端側に対し、その外径が小さい小径部４４とされている。小径部４４の外周面には、収縮ロック機構５０を構成する係止凹部５１が形成されている。また、ペン軸４０の先端側と後端側の中間部の外周面には、伸長ロック機構６０を構成する凹部６１が形成されている。
【００１９】
収縮ロック機構５０は、アウタースリーブ３０の内周面に固定された回転軸５２に回動自在に設けられたロック部材５３と、操作スイッチ５７と、を有する。
ロック部材５３は、端板３２に近い側が回転軸５２により回動自在に支持され、開口部３１に近い側の先端部５３ａに、アウタースリーブ３０の中心側、つまりペン軸４０の小径部４４側に向けて延びる係止爪５４が形成されている。
この係止爪５４は、回転軸５２を中心としてロック部材５３が回動して、先端部５３ａがペン軸４０に接近する方向に移動したときに、係止爪５４が係止凹部５１に係止可能とされている。
【００２０】
また、ロック部材５３は、先端部５３ａとアウタースリーブ３０の内周面との間に、先端部５３ａをペン軸４０に接近する方向に付勢するスプリング等の付勢部材５５が設けられている。
【００２１】
ロック部材５３の後端部には、回転軸５２に軸支された部分からペン軸４０側に向けて延びるアーム５６を有している。
【００２２】
操作スイッチ５７は、端板３２に対して、アウタースリーブ３０の外方（後方）に配置される円盤状の操作部５７ａと、操作部５７ａから前方に向けてアウタースリーブ３０の軸線方向に延び、端板３２に形成された貫通孔３３を通して端板３２の前方のペン軸４０が収容された空間まで延びるシャフト部５７ｂとを有する。
そして、操作スイッチ５７の操作部５７ａと端板３２との間には、コイルスプリング等の付勢部材５８が設けられ、操作スイッチ５７は、この付勢部材５８によって操作部５７ａが端板３２から離間する方向、つまり後方に向けて付勢されている。
【００２３】
このような収縮ロック機構５０は、図２、図３に示したように、ペン軸４０をアウタースリーブ３０内に収容した収縮状態においては、係止爪５４が係止凹部５１に係止され、付勢部材５５によってロック部材５３の先端部５３ａがペン軸４０側に押圧されることで、ペン軸４０がアウタースリーブ３０に係止された状態が維持される。
【００２４】
図４に示すように、収縮状態において、操作スイッチ５７の操作部５７ａを端板３２側に押圧操作すると、操作スイッチ５７が端板３２側に移動し、シャフト部５７ｂの端板３２からの突出量が増大する。シャフト部５７ｂの先端部により、ロック部材５３のアーム５６が押圧され、ロック部材５３が回転軸５２として回動する。これによって、先端部５３ａが付勢部材５５の付勢力に抗してペン軸４０から離間する。その結果、係止爪５４が係止凹部５１から抜かれ、ペン軸４０のアウタースリーブ３０への係止状態が解除される。すると、軸スプリング４３の付勢力によってペン軸４０が押圧され、アウタースリーブ３０からペン軸４０が突出する。
【００２５】
このように、収縮ロック機構５０により、ペン軸４０をアウタースリーブ３０内に収容した収縮状態にロックすることができる。また、操作スイッチ５７の操作によりペン軸４０をアウタースリーブ３０から突出させて伸長状態とすることができる。
【００２６】
図５に示すように、伸長ロック機構６０は、凹部６１に出没可能に設けられた係止部材６２と、アウタースリーブ３０側に設けられた解除スイッチ（係止解除部材）６３と、を有する。
係止部材６２は、凹部６１内に収まる厚さを有したベース部６２ａと、ベース部６２ａの後端部からアウタースリーブ３０側に向けて突出する係止爪６２ｂと、を有した断面Ｌ字状とされている。
ベース部６２ａと凹部６１との間には、スプリング等の付勢部材６４が設けられている。この付勢部材６４により、係止部材６２は、凹部６１からアウタースリーブ３０の径方向において外周側、つまり凹部６１から外周側に突出してアウタースリーブ３０に接近する側に付勢されている。
【００２７】
また、アウタースリーブ３０の内周面において、ペン軸４０がアウタースリーブ３０から突出した伸長状態のときに係止部材６２の係止爪６２ｂに対向する位置に、係止凹部（被係止部）６５が形成されている。
この係止凹部６５に、付勢部材６４によって外周側に付勢された係止部材６２の係止爪６２ｂが挿入されることで、ペン軸４０はアウタースリーブ３０に対するその軸線方向への移動が拘束され、アウタースリーブ３０から突出した伸長状態にロックされる。
【００２８】
アウタースリーブ３０には、ペン軸４０がアウタースリーブ３０から突出した伸長状態のときに係止部材６２のベース部６２ａに対向する位置に、アウタースリーブ３０の内外を貫通する貫通孔６６が形成されている。この貫通孔６６には、係止部材６２によるペン軸４０のロックを解除するための解除スイッチ６３が設けられている。
【００２９】
解除スイッチ６３は、アウタースリーブ３０の内外を貫通する方向（アウタースリーブ３０の径方向）に軸線を有する柱状で、アウタースリーブ３０の外周側に位置する外周端部（一端）６３ａと、アウタースリーブ３０の内周側に位置する内周端部（他端）６３ｂとの間に、解除スイッチ６３の軸線に直交する外周側に突出するフランジ部６３ｃを有している。
【００３０】
一方、アウタースリーブ３０の貫通孔６６には、アウタースリーブ３０の外周側と内周側の中間部に、フランジ部６３ｃを収容する凹部６７が形成されている。この凹部６７において、アウタースリーブ３０の外周側と内周側とを結ぶ方向の寸法は、フランジ部６３ｃの厚さよりも大きく設定されている。これによって、フランジ部６３ｃが、アウタースリーブ３０の外周側と内周側とを結ぶ方向（アウタースリーブ３０の径方向）に、凹部６７の範囲内で移動可能となっている。つまり、解除スイッチ６３が、アウタースリーブ３０の外周側と内周側とを結ぶ方向に沿って、一定のストロークの範囲内で移動可能とされている。
【００３１】
また、解除スイッチ６３において、アウタースリーブ３０の内周端部６３ｂは、解除スイッチ６３の軸線に直交する方向に拡径した拡径部６３ｄとされている。この拡径部６３ｄは、ペン軸４０がアウタースリーブ３０から突出した伸長状態のときに係止部材６２のベース部６２ａに突き当たるようになっている。
【００３２】
解除スイッチ６３において、アウタースリーブ３０の外周端部６３ａにおいて、前端側には、タッチペン２０の穴１１への挿入方向に対し、例えば４５°に傾斜した面取り部（傾斜面）６３ｍが形成されている。
【００３３】
このような解除スイッチ６３は、その表面における摩擦抵抗を増やすために、その全体をゴム系素材によって形成したり、少なくとも外周端部６３ａの表面にゴム系素材等からなるコーティングを施すようにしても良い。
【００３４】
このような伸長ロック機構６０においては、図１に示したように、ペン軸４０がアウタースリーブ３０から突出した伸長状態のときに、アウタースリーブ３０の内周面に形成された係止凹部６５に、付勢部材６４によって外周側に付勢された係止部材６２の係止爪６２ｂが挿入される。これにより、ペン軸４０がアウタースリーブ３０に係止され、その軸線方向への移動が拘束される。このようにしてペン軸４０がアウタースリーブ３０から突出した伸長状態にロックされる。この状態で、解除スイッチ６３は、係止部材６２のベース部６２ａによってアウタースリーブ３０の外周側に押圧され、外周端部６３ａがアウタースリーブ３０から外周側に突出した状態となる。
【００３５】
この伸長状態において、解除スイッチ６３がアウタースリーブ３０の内周側に押し込まれると、係止部材６２がペン軸４０側に押圧される。すると、係止爪６２ｂと係止凹部６５との係止が解除され、ペン軸４０のアウタースリーブ３０の軸線方向への拘束が解除される。これによって、ペン軸４０は、アウタースリーブ３０内に収容可能となる。
【００３６】
図１に示すように、ペン軸４０がアウタースリーブ３０内に収納され、穴１１内に挿入される状態では、係止部材６２は、ベース部６２ａが凹部６１内に収容される。また、この状態で、解除スイッチ６３は、外周端部６３ａが穴１１の内周面に突き当たり、内周端部６３ｂがペン軸４０の外周面に突き当たるようになっている。さらに、解除スイッチ６３は、外周端部６３ａが穴１１との突き当たり部分において一定以上の摩擦力を発揮するよう、アウタースリーブ３０の径方向における長さが設定されている。
【００３７】
次に、上記したようなタッチペン２０の電子機器の筐体１０への収納および取出し方法について説明する。
上記したようなタッチペン２０は、図２に示すように、電子機器の筐体１０に形成された穴１１内に、ペン軸４０がアウタースリーブ３０内に収容された収縮状態で収納される。この収縮状態において、タッチペン２０は、前述したように、係止爪５４が係止凹部５１に係止され、付勢部材５５によってロック部材５３の先端部５３ａがペン軸４０側に押圧されることで、係止状態が維持されている。
この状態で、タッチペン２０の後端部に位置する操作スイッチ５７の操作部５７ａは、穴１１から筐体１０の外周部に露出する。
【００３８】
ユーザがタッチペン２０を穴１１から取り出すときには、図３に示したように、筐体１０の外周部に露出した操作スイッチ５７の操作部５７ａを、穴１１の内方に向けて押し込む。すると、操作スイッチ５７が端板３２側に移動し、シャフト部５７ｂの先端部によりロック部材５３のアーム５６が押圧される。これにより、ロック部材５３が回転軸５２として回動し、係止爪５４と係止凹部５１の係止状態が解除される。
すると、軸スプリング４３の付勢力によってペン軸４０が押圧され、アウタースリーブ３０からペン軸４０が突出する。突出したペン軸４０は、穴１１の底部１１ａに突き当たり、その反力によって、タッチペン２０のアウタースリーブ３０が穴１１から筐体１０の外周側に突出する。
【００３９】
このとき、解除スイッチ６３の外周端部６３ａがアウタースリーブ３０の内周面に突き当たり、摩擦力を発揮している。これによって、タッチペン２０のアウタースリーブ３０が穴１１から突出するときの動作に抵抗感を付与し、タッチペン２０が穴１１から不用意に飛び出すのを防ぐことができる。
【００４０】
ユーザは、穴１１から突出したアウタースリーブ３０を保持してタッチペン２０を穴１１から引き抜く。この状態では、図１に示したように、軸スプリング４３の付勢力により、ペン軸４０がアウタースリーブ３０から突出した伸長状態となり、アウタースリーブ３０の内周面に形成された係止凹部６５に、付勢部材６４によって外周側に付勢された係止部材６２の係止爪６２ｂが挿入される。これによって、ペン軸４０がアウタースリーブ３０から突出した伸長状態にロックされる。この状態で、ユーザはタッチペン２０を使用し、電子機器の表示画面への情報の入力や操作入力を行うことができる。
【００４１】
タッチペン２０を穴１１に収容するときには、ユーザは、タッチペン２０をペン先部４１側から穴１１に挿入する。すると、図６に示すように、アウタースリーブ３０から外周側に突出した状態の解除スイッチ６３の外周端部６３ａが、穴１１の開口周縁部１１ｂに突き当たる。解除スイッチ６３には、面取り部６３ｍが形成されているため、この面取り部６３ｍが開口周縁部１１ｂに突き当たった状態で、さらにタッチペン２０が穴１１内に挿入されると、図７に示すように、解除スイッチ６３がアウタースリーブ３０の内周側に押し込まれる。ここで、解除スイッチ６３の押し込み動作を円滑に行えるよう、開口周縁部１１ｂにも、タッチペン２０の穴１１への挿入方向に対して傾斜した面取り部（傾斜面）１１ｍを形成するのが好ましい。
解除スイッチ６３がアウタースリーブ３０の内周側に押し込まれると、係止部材６２がペン軸４０側に押し込まれ、係止爪６２ｂと係止凹部６５との係合が解除される。すると、ペン軸４０がアウタースリーブ３０に対してその軸線方向にスライド可能となる。この状態で、タッチペン２０を穴１１内にさらに押し込むと、ペン先部４１が穴１１の底部１１ａに突き当たり、ペン軸４０がアウタースリーブ３０内に収容されていく。
【００４２】
そして、図２、図３に示したように、アウタースリーブ３０内に挿入されていったペン軸４０の後端部に形成された係止凹部５１に、ロック部材５３の係止爪５４が対向した位置となると、付勢部材５５によってロック部材５３の先端部５３ａがペン軸４０側に押圧されているため、係止爪５４が係止凹部５１に係合する。
この状態で、解除スイッチ６３は、穴１１の内周面とペン軸４０の外周面との間に挟み込まれ、これにより、収縮状態のタッチペン２０は穴１１内に挿入した状態で拘束される。
【００４３】
上述したようにして、タッチペン２０は、アウタースリーブ３０内にペン軸４０が収納された収縮状態においてペン軸４０をアウタースリーブ３０に係止させる収縮ロック機構５０と、アウタースリーブ３０からペン軸４０が突出した伸長状態においてペン軸４０をアウタースリーブ３０に係止させる伸長ロック機構６０とを備えることで、伸縮可能とされている。
そして、伸長ロック機構６０は、アウタースリーブ３０の外周側に一端部が突出した解除スイッチ６３をアウタースリーブ３０の内方に向けて押し込むことによって、ペン軸４０をアウタースリーブ３０に係止させるための係止部材６２が操作され、アウタースリーブ３０との係止が解除されるようになっている。これにより、伸長状態のままのタッチペン２０を穴１１に挿入していき、穴１１との干渉によって解除スイッチ６３を押圧することで、伸長状態のロックを解除し、タッチペン２０を収縮させることができる。
つまり、タッチペン２０を穴１１に挿入するのみでタッチペン２０を収縮させることができ、タッチペン２０の収縮のために手間がかかることもなく、スムーズにタッチペン２０の穴１１への挿入動作および収縮動作を行うことができる。
【００４４】
また、収縮状態で穴１１に挿入されたタッチペン２０は、伸長ロック機構６０の解除スイッチ６３が穴１１の内周面に押し付けられていることで穴１１内に保持され、また、収縮ロック機構５０によってペン軸４０がアウタースリーブ３０内に収納された収縮状態に維持される。これにより、タッチペン２０を穴１１内で保持するために、特に何らかの動作を行う必要がなく、穴１１内にタッチペン２０を挿入しさえすればよく、タッチペン２０の電子機器の筐体１０への収納動作を容易かつ確実に行える。
【００４５】
さらに、収縮状態で穴１１に保持されたタッチペン２０を取り出すときには、操作スイッチ５７を押し込めば、収縮状態のロックが解除され、軸スプリング４３の付勢力によって、タッチペン２０が伸長して穴１１から出てくるので、タッチペン２０の電子機器の筐体１０からの取り出しも容易かつ確実に行える。
このようにして、伸縮式のタッチペン２０を電子機器に形成された穴１１に挿入して収容することができ、しかも、その取出しおよび収納動作を容易かつ確実に行うことが可能となる。
【００４６】
また、解除スイッチ６３は、その表面における摩擦抵抗を増やすために、その全体をゴム系素材によって形成したり、その表面にゴム系素材等からなるコーティングを施すことで、タッチペン２０が穴１１から急に飛び出すのを防ぎ、抵抗感のあるスムーズな動きとすることができる。
【００４７】
（その他の実施形態）
なお、本発明は、図面を参照して説明した上述の各実施形態に限定されるものではなく、その技術的範囲において様々な変形例が考えられる。
例えば、各部の構成については、実施例で示した構造以外の構造でもよい。例えば、収縮ロック機構５０や伸長ロック機構６０は、例えば回転カム等の手段によってタッチペン２０の状態をロックするようにしても良い。
解除スイッチ６３や操作スイッチ５７は、上記実施形態で示した箇所以外の箇所に設けられてもよい。例えば、操作スイッチ５７がタッチペン２０の側面にあり、使用者がタッチペン２０を穴１１から取り出す際に穴１１の適宜箇所と干渉して操作スイッチ５７が操作されるような構造でもよい。
また、収縮ロック機構５０や伸長ロック機構６０は、上記した以外の箇所に設けられてもよい。例えば、係止部材６２がアウタースリーブ３０側に設けられて、タッチペン２０の伸長時に伸長ロック機構６０の係止部材６２がペン軸４０に嵌ることでペン軸４０の位置を固定するような構造であってもよい。同様に、例えば、収縮ロック機構５０のロック部材５３がペン軸４０側に設けられており、タッチペン２０の収縮時にロック部材５３がアウタースリーブ３０側に嵌り込むことで、ペン軸４０の位置を固定するような構造であってもよい。
さらに、タッチペン２０の収納時に利用者の意図によらずタッチペン２０が穴１１から抜け出ることを防止する構造は、実施例で示した以外の方法によってもよい。例えば、タッチペン２０の外側に突起を設け、穴１１にくぼみを設けて、タッチペン２０の収納時に突起がくぼみに嵌って固定されるような構造を設けてもよい。
加えて、タッチペン２０を収縮させる構造は、実施例で示した以外の構造でもよい。例えば、実施例ではタッチペン２０をペン軸４０とアウタースリーブ３０の２段構成としたが、さらにタッチペンを分割して３段構成、あるいはそれ以上として、タッチペン２０全体が、より収縮するようにした構成でも良い。
これ以外にも、本発明の主旨を逸脱しない限り、上記実施の形態で挙げた構成を取捨選択したり、他の構成に適宜変更することが可能である。
【符号の説明】
【００４８】
１０  筐体
１１  穴
１１ａ      底部
１１ｂ      開口周縁部
１１ｍ      面取り部（傾斜面）
２０  タッチペン
３０  アウタースリーブ（筒状部材）
３１  開口部
３２  端板
３３  貫通孔
４０  ペン軸
４１  ペン先部
４２  後端面
４３  軸スプリング（付勢部材）
４４  小径部
５０  収縮ロック機構
５１  係止凹部
５２  回転軸
５３  ロック部材
５４  係止爪
５５  付勢部材
５６  アーム
５７  操作スイッチ（スイッチ）
５８  付勢部材
６０  伸長ロック機構
６１  凹部
６２  係止部材
６２ａ      ベース部
６２ｂ      係止爪
６３  解除スイッチ（係止解除部材）
６３ａ      外周端部（一端）
６３ｂ      内周端部（他端）
６３ｃ      フランジ部
６３ｄ      拡径部
６３ｍ      面取り部（傾斜面）
６４  付勢部材
６５  係止凹部（被係止部）
６６  貫通孔
６７  凹部
【図１】
2013222250.tif 000003
【図２】
2013222250.tif 000004
【図３】
2013222250.tif 000005
【図４】
2013222250.tif 000006
【図５】
2013222250.tif 000007
【図６】
2013222250.tif 000008
【図７】
2013222250.tif 000009